【手続補正書】
【提出日】平成28年4月5日(2016.4.5)
【手続補正１】
【補正対象書類名】明細書
【補正対象項目名】０００６
【補正方法】変更
【補正の内容】
【０００６】
前記課題を解決するために、本発明のネイルプリント装置は、
描画を施す爪の指が載置される載置面を有する指載置部と、
前記載置面に載置された前記指の爪に接触して、前記爪の表面に描画を施す描画用具と、
前記描画用具を移動させる駆動部と、
前記駆動部を制御する制御部と、
を備え、
前記爪の表面は、前記爪の幅方向の中心線より前記爪の幅方向の一端側の第１領域と、前記中心線より前記爪の幅方向の他端側の第２領域と、を有し、
前記制御部は、前記爪の表面の前記第１領域と前記第２領域とにおいて、前記描画用具を前記爪の前記載置面からの高さが低い方から高い方に向かって移動させることを禁止し、前記描画用具を前記爪の前記載置面からの高さが高い方から低い方に向かって移動させることを許可する描画方向規制処理を行うように前記駆動部を制御することを特徴としている。
【手続補正２】
【補正対象書類名】明細書
【補正対象項目名】０００７
【補正方法】変更
【補正の内容】
【０００７】
また、本発明のネイルプリント装置の印刷方法は、
ネイルプリント装置の印刷方法において、
前記ネイルプリント装置は、描画を施す爪の指が載置される載置面を有する載置部と、前記載置面に載置された前記指の爪に接触して、前記爪の表面に描画を施す描画用具と、を有し、
前記指の爪の表面は、前記爪の幅方向の中心線より前記爪の幅方向の一端側の第１領域と、前記爪の幅方向の中心線より前記爪の幅方向の他端側の第２領域と、を有し、
前記爪の表面の前記第１領域と前記第２領域とにおいて、前記描画用具を前記爪の前記載置面からの高さが低い方から高い方に向かって移動させることを禁止し、前記描画用具を前記爪の前記載置面からの高さが高い方から低い方に向かって移動させることを許可する描画方向規制処理を行うことを特徴としている。
【手続補正３】
【補正対象書類名】特許請求の範囲
【補正対象項目名】全文
【補正方法】変更
【補正の内容】
【特許請求の範囲】
【請求項１】
描画を施す爪の指が載置される載置面を有する指載置部と、
前記載置面に載置された前記指の爪に接触して、前記爪の表面に描画を施す描画用具と、
前記描画用具を移動させる駆動部と、
前記駆動部を制御する制御部と、
を備え、
前記爪の表面は、前記爪の幅方向の中心線より前記爪の幅方向の一端側の第１領域と、前記中心線より前記爪の幅方向の他端側の第２領域と、を有し、
前記制御部は、前記爪の表面の前記第１領域と前記第２領域とにおいて、前記描画用具を前記爪の前記載置面からの高さが低い方から高い方に向かって移動させることを禁止し、前記描画用具を前記爪の前記載置面からの高さが高い方から低い方に向かって移動させることを許可する描画方向規制処理を行うように前記駆動部を制御することを特徴とするネイルプリント装置。
【請求項２】
前記制御部は、
前記爪の表面に描画する絵柄が、前記第１領域と、前記第１領域と前記第２領域とに挟まれた第３領域とに跨って描画される形状を有しているとき、前記第３領域での前記描画用具の移動のさせ方を、前記描画方向規制処理を行う前記第１領域での前記描画用具の移動のさせ方と同じにして、前記第１領域と前記第３領域とで連続して前記絵柄の描画を施すように制御し、
前記絵柄が前記第２領域と前記第３領域とに跨って描画される形状を有しているとき、前記第３領域での前記描画用具の移動のさせ方を、前記描画方向規制処理を行う前記第２領域での前記描画用具の移動のさせ方と同じにして、前記第２領域と前記第３領域とで連続して前記絵柄の描画を施すように制御することを特徴とする請求項１に記載のネイルプリント装置。
【請求項３】
前記制御部は、
前記爪の表面に描画する絵柄が塗潰領域を有するとき、前記描画用具を前記塗潰領域の輪郭に沿って移動させて前記輪郭を描画する輪郭描画処理を行った後、前記輪郭の内側領域を、前記爪の幅方向と前記爪の長さ方向とに前記描画用具を移動させながら描画する塗潰描画処理を行うように前記駆動部を制御し、
前記輪郭描画処理及び前記塗潰描画処理において、描画する領域が前記第１領域又は前記第２領域に含まれるとき、前記第１領域又は前記第２領域において前記描画方向規制処理を行うことを特徴とする請求項１又は請求項２に記載のネイルプリント装置。
【請求項４】
前記制御部は、
前記塗潰領域が、前記第１領域と、前記第１領域と前記第２領域とに挟まれた第３領域とに跨って描画される形状を含んでいるとき、前記第３領域での前記描画用具の移動のさせ方を、前記描画方向規制処理を行う前記第１領域での前記描画用具の移動のさせ方と同じにして、前記第１領域と前記第３領域とで連続して前記塗潰領域の描画を施すように制御し、
前記塗潰領域が前記第２領域と前記第３領域とに跨って描画される形状を含んでいるとき、前記第３領域での前記描画用具の移動のさせ方を、前記描画方向規制処理を行う前記第２領域での前記描画用具の移動のさせ方と同じにして、前記第２領域と前記第３領域とで連続して前記塗潰領域の描画を施すように制御することを特徴とする請求項３に記載のネイルプリント装置。
【請求項５】
前記第１領域は、前記爪の前記一端側の縁と、前記中心線より前記一端側に前記爪の長さ方向に沿って前記爪の表面に設けられた第１境界線と、で囲まれた領域であり、
前記第２領域は、前記爪の前記他端側の縁と、前記中心線より前記他端側に前記爪の長さ方向に沿って前記爪の表面に設けられた第２境界線と、で囲まれた領域であることを特徴とする請求項１に記載のネイルプリント装置。
【請求項６】
更に、前記爪の表面の、前記載置面に対する傾斜角度を検出する傾斜角度検出部を有し、
前記第１境界線及び前記第２境界線は、前記傾斜角度の前記爪の幅方向の値が所定の閾値である箇所に設けられることを特徴とする請求項５に記載のネイルプリント装置。
【請求項７】
ネイルプリント装置の印刷方法において、
前記ネイルプリント装置は、描画を施す爪の指が載置される載置面を有する載置部と、前記載置面に載置された前記指の爪に接触して、前記爪の表面に描画を施す描画用具と、を有し、
前記指の爪の表面は、前記爪の幅方向の中心線より前記爪の幅方向の一端側の第１領域と、前記爪の幅方向の中心線より前記爪の幅方向の他端側の第２領域と、を有し、
前記爪の表面の前記第１領域と前記第２領域とにおいて、前記描画用具を前記爪の前記載置面からの高さが低い方から高い方に向かって移動させることを禁止し、前記描画用具を前記爪の前記載置面からの高さが高い方から低い方に向かって移動させることを許可する描画方向規制処理を行うことを特徴とするネイルプリント装置の印刷方法。
【請求項８】
前記爪の表面に描画する絵柄が、前記第１領域と、前記第１領域と前記第２領域とに挟まれた第３領域とに跨って描画される形状を有しているとき、前記第３領域での前記描画用具の移動のさせ方を、前記描画方向規制処理を行う前記第１領域での前記描画用具の移動のさせ方と同じにして、前記第１領域と前記第３領域とで連続して前記絵柄の描画を施し、
前記絵柄が前記第２領域と前記第３領域とに跨って描画される形状を有しているとき、前記第３領域での前記描画用具の移動のさせ方を、前記描画方向規制処理を行う前記第２領域での前記描画用具の移動のさせ方と同じにして、前記第２領域と前記第３領域とで連続して前記絵柄の描画を施すことを特徴とする請求項７に記載のネイルプリント装置の印刷方法。
【請求項９】
前記爪の表面に描画する絵柄が塗潰領域を有するとき、前記描画用具を前記塗潰領域の輪郭に沿って移動させて前記輪郭を描画する輪郭描画処理を行った後、前記輪郭の内側領域を、前記爪の幅方向と前記爪の長さ方向とに前記描画用具を移動させながら描画する塗潰描画処理を行い、
前記輪郭描画処理及び前記塗潰描画処理において、描画する領域が前記第１領域又は前記第２領域に含まれるとき、前記第１領域又は前記第２領域において前記描画方向規制処理を行うことを特徴とする請求項７又は請求項８に記載のネイルプリント装置の印刷方法。
【請求項１０】
前記塗潰領域が前記第１領域と前記第３領域とに跨って描画される形状を含んでいるとき、前記第３領域での前記描画用具の移動のさせ方を、前記描画方向規制処理を行う前記第１領域での前記描画用具の移動のさせ方と同じにして、前記第１領域と前記第３領域とで連続して前記塗潰領域の描画を施すように制御し、
前記塗潰領域が前記第２領域と前記第３領域とに跨って描画される形状を含んでいるとき、前記第３領域での前記描画用具の移動のさせ方を、前記描画方向規制処理を行う前記第２領域での前記描画用具の移動のさせ方と同じにして、前記第２領域と前記第３領域とで連続して前記塗潰領域の描画を施すことを特徴とする請求項９に記載のネイルプリント装置の印刷方法。
【請求項１１】
前記第１領域を、前記爪の前記一端側の縁と、前記中心線より前記一端側に前記爪の長さ方向に沿って前記爪の表面に設けられた第１境界線と、で囲まれた領域とし、
前記第２領域は、前記爪の前記他端側の縁と、前記中心線より前記他端側に前記爪の長さ方向に沿って前記爪の表面に設けられた第２境界線と、で囲まれた領域とすることを特徴とする請求項７に記載のネイルプリント装置の印刷方法。
【請求項１２】
更に、前記爪の表面の、前記載置面に対する傾斜角度を検出し、
前記第１境界線及び前記第２境界線を、前記傾斜角度の前記爪の幅方向の値が所定の閾値である箇所に設けることを特徴とする請求項１１に記載のネイルプリント装置の印刷方法。
【請求項１３】
描画を施す爪の指が載置される載置面を有する指載置部と、
前記載置面に載置された前記指の爪に接触して、前記爪に描画を施す描画用具と、
前記描画用具を移動させる駆動部と、
前記駆動部を制御する制御部と、
を備え、
前記爪の表面は、前記爪の幅方向の中心線より前記爪の幅方向の一端側に設けられた領域から第１特定領域を除いた第１領域と、前記中心線より前記爪の幅方向の他端側に設けられた領域から第２特定領域を除いた第２領域と、を有し、
前記第１領域と前記第２領域とにおいて、前記制御部は、前記描画用具を前記爪の前記載置面からの高さが低い方から高い方に向かって移動させることを禁止し、前記描画用具を前記爪の前記載置面からの高さが高い方から低い方に向かって移動させることを許可する描画方向規制処理を行うように前記駆動部を制御し、
前記第１特定領域及び前記第２特定領域は、前記絵柄における一繋がりの絵柄であって、前記描画用具の前記爪の幅方向の移動距離が所定の限度値以下である、特定の絵柄が描画される領域であり、
前記第１特定領域及び前記第２特定領域においては、前記描画方向規制処理を行わずに、前記特定の絵柄を一繋がりに描画するように前記駆動部を制御することを特徴とするネイルプリント装置。
【請求項１４】
ネイルプリント装置の印刷方法において、
前記ネイルプリント装置は、描画を施す爪の指が載置される載置面を有する指載置部と、前記載置面に載置された前記指の爪に接触して、前記爪の表面に描画を施す描画用具と、を有し、
前記指の爪の表面は、前記爪の幅方向の中心を通る中心線より前記一端側に設けられた領域から第１特定領域を除いた第１領域と、前記中心線より前記爪の幅方向の他端側に設けられた領域から第２特定領域を除いた２領域と、を有し、
前記第１領域と前記第２領域とにおいて、前記爪の前記載置面からの高さが低い方から高い方に向かって前記描画用具を移動させることを禁止し、前記描画用具を前記爪の前記載置面からの高さが高い方から低い方に向かって移動させることを許可する描画方向規制処理を行い、
前記第１特定領域及び前記第２特定領域を、前記絵柄における一繋がりの絵柄であって、前記描画用具の前記爪の幅方向の移動距離が所定の限度値以下である、特定の絵柄が描画される領域とし、
前記第１特定領域及び前記第２特定領域では、前記描画方向規制処理を行わずに前記特定の絵柄を一繋がりに描画することを特徴とするネイルプリント装置の印刷方法。